(57)【要約】      （修正有）【課題】着用者の踵に対する良好な保護保湿性を有すると共に、履き心地が良く、着用と洗濯を繰り返しても履き心地の低下を抑制することができる踵保護用の靴下の製造方法等を提供する。【解決手段】靴下の製造方法は、靴下本体の踵部分と、踵部分の形状に合わせて複数の方向において湾曲するように成形された熱接着性フィルムと、踵部分の形状に合わせて複数の方向において湾曲するように成形された合成樹脂フィルムとをこの順に重ねる工程（ａ）と、踵部分の形状に合わせて凸部又は凹部が形成された第１の型と、第１の型と嵌合可能な凹部又は凸部が形成された第２の型とのうち少なくとも一方を加熱し、上記凸部及び凹部により靴下の踵部分と熱接着性フィルムと合成樹脂フィルムとが重ねられた層を挟んでプレスすることによって、靴下の踵部分に合成樹脂フィルムを熱接着する工程（ｂ）とを含む。【選択図】図５
2018150655.tif 000002
【特許請求の範囲】
【請求項１】
靴下本体の踵部分と、前記踵部分の形状に合わせて複数の方向において湾曲するように成形された熱接着性フィルムと、前記踵部分の形状に合わせて複数の方向において湾曲するように成形された合成樹脂フィルムとをこの順に重ねる工程（ａ）と、
前記踵部分の形状に合わせて凸部又は凹部が形成された第１の型と、前記第１の型と嵌合可能な凹部又は凸部が形成された第２の型とのうち少なくとも一方を加熱し、前記凸部及び前記凹部により前記靴下の踵部分と前記熱接着性フィルムと前記合成樹脂フィルムとが重ねられた層を挟んでプレスすることによって、前記靴下の踵部分に前記合成樹脂フィルムを熱接着する工程（ｂ）と、
を含む靴下の製造方法。
【請求項２】
工程（ａ）は、前記第１の型に前記靴下本体の踵部分と前記熱接着性フィルムと前記合成樹脂フィルムとをこの順に積層し、
工程（ｂ）は、前記第２の型を加熱して前記合成樹脂フィルムに直接又は間接的に押し当てる、請求項１に記載の靴下の製造方法。
【請求項３】
工程（ａ）は、前記合成樹脂フィルムの上に、前記踵部分の形状に合わせて複数の方向において湾曲するように成形されたセパレータをさらに積層し、
工程（ｂ）は、前記セパレータを介して、前記第２の型を前記合成樹脂フィルムに押し当てる、請求項２に記載の靴下の製造方法。
【請求項４】
靴下本体と、
前記靴下本体の踵部分に全面が熱接着された合成樹脂フィルムと、
を備え、
前記合成樹脂フィルムは、前記踵部分の形状に合わせて複数の方向において湾曲している、靴下。
【請求項５】
靴下本体の踵部分に合成樹脂フィルムが接着された靴下の製造に用いられる材料であって、
前記踵部分に合わせて複数の方向において湾曲した形状をなす合成樹脂フィルムからなる材料。
【請求項６】
前記踵部分に合わせて複数の方向において湾曲した形状をなし、熱接着性を有するフィルムが、前記合成樹脂フィルムの一方の面に積層された請求項５に記載の材料。
【請求項７】
前記踵部分に合わせて複数の方向において湾曲した形状をなし、少なくとも前記熱接着性を有するフィルムの接着温度よりも融点の高い材料からなる部材が、前記合成樹脂フィルムの他方の面に積層された請求項６に記載の材料。
【発明の詳細な説明】
【技術分野】
【０００１】
本発明は、踵を乾燥から保護する靴下の製造技術に関する。
【背景技術】
【０００２】
踵を乾燥から保護し、踵のひび割れやかさつきを防ぐ踵保護用の靴下が知られている。例えば、特許文献１には、二重構造に形成した靴下の層間に、伸縮性を有する可撓体を、踵を囲む状態で介在せしめたかかと乾燥防止体付靴下が開示されている。また、特許文献２、３には、二重構造に形成した靴下の踵部分に合成樹脂フィルムを介在せしめた踵保護靴下が開示されている。
【先行技術文献】
【特許文献】
【０００３】
【特許文献１】実開平２−１１５５０６号公報
【特許文献２】特許第２６２７５７０号公報
【特許文献３】特公平７−４９６０１号公報
【発明の概要】
【発明が解決しようとする課題】
【０００４】
靴下の踵部分に合成樹脂フィルムを介在せしめる靴下の実用化にあたって、本出願人は、熱接着性フィルムを用いて合成樹脂フィルムを靴下に熱接着する手法を開発した（特許文献２参照）。しかしながら、平面状の合成樹脂フィルムの全面を立体的な踵部分に接着しようとすると、ヨレや皺が生じて履き心地が良くないばかりか、合成樹脂フィルムの周縁部に生じた凹凸の隙間から湿気が逃げてしまい、着用者の踵に対する保護保湿性が低下することが判明した。そこで、本出願人はさらに研究を重ね、合成樹脂フィルムの周縁部のみを靴下に熱接着する方式の靴下を開発するに至った（特許文献３参照）。
【０００５】
しかしながら、合成樹脂フィルムの周縁部のみを靴下の布地に熱接着し、その他の部分を布地に対して遊離状態とした場合、靴下の着用中に合成樹脂フィルムの遊離部分が布地からずれたり浮いたりすることがあり、ごわごわして履き心地があまり良くないと感じる着用者も存在した。また、遊離部分のずれや浮きは、靴下の着用と洗濯を繰り返すうちに顕著になり易く、履き心地が徐々に低下するという問題もあった。
【０００６】
本発明は上記に鑑みてなされたものであり、着用者の踵に対する良好な保護保湿性を有すると共に、履き心地が良く、着用と洗濯を繰り返しても履き心地の低下を抑制することができる踵保護用の靴下の製造方法、靴下、及び靴下の製造に用いられる材料を提供することを目的とする。
【課題を解決するための手段】
【０００７】
上記課題を解決するために、本発明の一態様である靴下の製造方法は、靴下本体の踵部分と、前記踵部分の形状に合わせて複数の方向において湾曲するように成形された熱接着性フィルムと、前記踵部分の形状に合わせて複数の方向において湾曲するように成形された合成樹脂フィルムとをこの順に重ねる工程（ａ）と、前記踵部分の形状に合わせて凸部又は凹部が形成された第１の型と、前記第１の型と嵌合可能な凹部又は凸部が形成された第２の型とのうち少なくとも一方を加熱し、前記凸部及び前記凹部により前記靴下の踵部分と前記熱接着性フィルムと前記合成樹脂フィルムとが重ねられた層を挟んでプレスすることによって、前記靴下の踵部分に前記合成樹脂フィルムを熱接着する工程（ｂ）と、を含むものである。
【０００８】
上記靴下の製造方法において、工程（ａ）は、前記第１の型に前記靴下本体の踵部分と前記熱接着性フィルムと前記合成樹脂フィルムとをこの順に積層し、工程（ｂ）は、前記第２の型を加熱して前記合成樹脂フィルムに直接又は間接的に押し当てても良い。
【０００９】
上記靴下の製造方法において、工程（ａ）は、前記合成樹脂フィルムの上に、前記踵部分の形状に合わせて複数の方向において湾曲するように成形されたセパレータをさらに積層し、工程（ｂ）は、前記セパレータを介して、前記第２の型を前記合成樹脂フィルムに押し当てても良い。
【００１０】
本発明の別の態様である靴下は、靴下本体と、前記靴下本体の踵部分に全面が熱接着された合成樹脂フィルムと、を備え、前記合成樹脂フィルムは、前記踵部分の形状に合わせて複数の方向において湾曲しているものである。
【００１１】
本発明のさらに別の態様である材料は、靴下本体の踵部分に合成樹脂フィルムが接着された靴下の製造に用いられる材料であって、前記踵部分に合わせて複数の方向において湾曲した形状をなす合成樹脂フィルムからなるものである。
【００１２】
上記材料は、前記踵部分に合わせて複数の方向において湾曲した形状をなし、熱接着性を有するフィルムが、前記合成樹脂フィルムの一方の面に積層されたものであっても良い。
上記材料は、前記踵部分に合わせて複数の方向において湾曲した形状をなし、少なくとも前記熱接着性を有するフィルムの接着温度よりも融点の高い材料からなる部材が、前記合成樹脂フィルムの他方の面に積層されたものであっても良い。
【発明の効果】
【００１３】
本発明によれば、予め踵部分の形状に合わせて複数の方向において湾曲するように成形された合成樹脂フィルム及び熱接着性フィルムを用いて、合成樹脂フィルムを靴下本体に熱接着するので、平面状のフィルムを湾曲させて接着する場合と異なり、ヨレや皺や周縁部の凹凸を生じさせることなく、合成樹脂フィルムの全面を隙間なく靴下に貼り付けることができる。従って、着用者の踵に対する良好な保護保湿性を有する靴下を提供することが可能となる。また、着用者は合成樹脂フィルムのヨレや皺、或いはずれや浮きによるごわつきを感じることなく、心地よく靴下を着用することができる。さらに、合成樹脂フィルムの全面が靴下本体に接着されているので、着用と洗濯を繰り返しても合成樹脂フィルムのずれや浮きが発生することはなく、長期間にわたって履き心地の低下を抑制することが可能となる。
【図面の簡単な説明】
【００１４】
【図１】本発明の実施形態に係る靴下を示す模式図である。
【図２】図１に示す靴下の踵部分を示す断面図である。
【図３】本発明の実施形態に係る靴下の製造方法において使用されるプレス型（凸型）を示す模式図である。
【図４】本発明の実施形態に係る靴下の製造方法において使用されるプレス型（凹型）を示す模式図である。
【図５】本発明の実施形態に係る靴下の製造方法を示すフローチャートである。
【図６】立体的に成形された合成樹脂フィルムを示す斜視図である。
【図７】本発明の実施形態に係る靴下の製造方法を説明するための断面図である。
【図８】本発明の実施形態に係る靴下の製造方法を説明するための断面図である。
【図９】本発明の実施形態に係る靴下の製造方法を説明するための断面図である。
【発明を実施するための形態】
【００１５】
以下、本発明の実施の形態に係る靴下の製造方法、靴下、及び材料について、図面を参照しながら説明する。なお、以下の実施形態によって本発明が限定されるものではない。また、各図面の記載において、同一部分には同一の符号を付して示している。以下の説明において参照する図面は、本発明の内容を理解し得る程度に形状、大きさ、比率、及び位置関係を概略的に示しているに過ぎない。即ち、本発明は各図で例示された形状、大きさ、比率、及び位置関係のみに限定されるものではない。
【００１６】
図１は、本発明の実施形態に係る靴下を示す模式図である。図２は、図１に示す靴下の踵部分を示す断面図である。図１に示すように、本実施形態に係る靴下１は、靴下本体１０と、靴下本体１０の踵部分１０ａに設けられた合成樹脂フィルム１４とを備える。
【００１７】
靴下本体１０は、例えば、綿、ウール、シルク、ナイロンやウレタン等の合成繊維などの繊維を材料として、編み機等によって編成することにより作製されたニットである。図２に示すように、靴下本体１０は、外側に配置された生地である外側布１１と、内側に配置された生地である内側布１２とをからなる二重構造を有している。このような二重構造を有する靴下本体１０は、一例として、筒状に編成した生地のつま先部分を縫合して折り返すことにより作製することができる（参考：実開平２−１１５５０６号公報）。もっとも、二重構造の靴下本体の作製方法はこれに限定されない。例えば、外側に配置される靴下と内側に配置される靴下とを別々に編成した後で、これらを重ねても良い。或いは、靴下の踵部分を含む領域のみに当て布をしても良い。要するに、靴下本体１０において、少なくとも踵部分１０ａが二重構造を有していれば良い。
【００１８】
踵部分１０ａの内側布１２には、熱接着層１３により合成樹脂フィルム１４が熱接着されている。合成樹脂フィルム１４は、例えば塩ビ系、ナイロン系、ポリエステル系などの熱可塑性樹脂によって形成され、例えば５０〜９０μｍ程度の厚さを有している。合成樹脂フィルム１４は、踵部分１０ａに合わせて複数の方向において湾曲した形状をなし、厚さはほぼ均一であり、平面状のフィルムを複数の方向において同時に湾曲させた際に見られるようなヨレや皺や周縁部の凹凸はほとんど見られない。合成樹脂フィルム１４は、空気の流通を遮断することにより、靴下１内の踵部分１０ａにおける保湿作用を生じさせる。
【００１９】
熱接着層１３は、例えばウレタン系合成樹脂により形成され、内側布１２と合成樹脂フィルム１４との間の全面にわたって設けられている。熱接着層１３も、合成樹脂フィルム１４と同様に複数の方向において湾曲しており、厚さはほぼ均一である。
【００２０】
次に、靴下１の製造方法について説明する。
図３及び図４は、本発明の実施形態に係る靴下の製造方法において使用されるプレス型を示す模式図である。図３及び図４に示すプレス型２０、３０は、合成樹脂フィルム１４を靴下本体１０に熱接着する際に用いられる型である。図３に示すプレス型（凸型）２０は、台座２１と、踵部分１０ａの形状に合わせて台座２１から膨出する凸部２２とを有する。図４に示すプレス型（凹型）３０は、凸部２２が嵌合可能な凹部３２が形成された台座３１を有する。本実施形態においては、プレス型２０、３０を共に金属によって形成しているが、ヒートプレスに使用可能な材料であれば特に限定されない。
【００２１】
図５は、本発明の実施形態に係る靴下の製造方法を示すフローチャートである。なお、靴下本体１０については、予め編成し、合成樹脂フィルム１４を熱接着する踵部分１０ａの内側布１２を露出させておく。
【００２２】
まず、工程Ｓ１０において、踵部分１０ａの形状に合わせて立体的に成形された合成樹脂フィルム、熱接着層１３の材料となる熱接着性フィルム、及びセパレータを用意する。図６は、立体的に成形された合成樹脂フィルムを示す斜視図である。図６に示すように、合成樹脂フィルム１４は、靴下本体１０に接着される前の状態で、踵部分１０ａの膨出した形状に合うように、予め複数の方向において湾曲した形状に加工されている。湾曲した合成樹脂フィルム１４を作製する方法は特に限定されず、公知の加工技術を適用することができる。
【００２３】
熱接着性フィルムは例えばウレタン系合成樹脂フィルムであり、図６に示す合成樹脂フィルム１４と同様に、踵部分１０ａの形状に合わせ、複数の方向において湾曲した形状に成形される。セパレータは、少なくとも熱接着性フィルムの接着温度よりも融点の高い材料（例えばナイロンやポリプロピレン等）からなり、図６に示す合成樹脂フィルム１４と同様に、踵部分１０ａの形状に合わせ、複数の方向において湾曲する形状に成形される。セパレータの機能については後述する。
【００２４】
図７〜図９は、本発明の実施形態に係る靴下の製造方法を説明するための断面図である。続く工程Ｓ１１において、図７に示すように、プレス型２０の凸部２２に、靴下本体１０の踵部分１０ａを被せる。この際、靴下本体１０を直接プレス型２０に被せても良いし、プレス型２０に薄いニット地等を被せた上で靴下本体１０を被せることにより、靴下本体１０へのプレス型２０の当たりを和らげても良い。
【００２５】
続く工程Ｓ１２において、図７に示すように、靴下本体１０の踵部分１０ａに、工程Ｓ１０において用意した熱接着性フィルム１３’、合成樹脂フィルム１４、及びセパレータ１５をこの順に被せる。熱接着性フィルム１３’、合成樹脂フィルム１４、及びセパレータ１５は、予め踵部分１０ａの形状に合わせて成形されているので、凸部２２に被せられた靴下本体１０（内側布１２）に対して歪みや隙間を生じさせることなく嵌合する。なお、作業を簡単にするために、熱接着性フィルム１３’と合成樹脂フィルム１４とを予め一体化させておいても良い。或いは、熱接着性フィルム１３’と合成樹脂フィルム１４とセパレータ１５とを予め一体化させておいても良い。
【００２６】
続く工程Ｓ１３において、図８に示すように、加熱したプレス型３０の凹部３２を被せ、靴下本体１０、熱接着性フィルム１３’、合成樹脂フィルム１４、及びセパレータ１５をプレスする。所定時間経過後、プレス型３０を取り外すと、加熱により一旦溶融した熱接着性フィルム１３’が固化し、合成樹脂フィルム１４を靴下本体１０に接着する熱接着層１３となる（図９参照）。
【００２７】
続く工程Ｓ１４において、図９に示すように、セパレータ１５を取り外す。この後、プレス型２０から靴下本体１０を取り外し、外側布１１で合成樹脂フィルム１４を覆うことにより二重構造とし（図２参照）、二重構造の開き口を縫製するなどして仕上げる。それにより、図１に示す靴下１が完成する。
【００２８】
ここで、セパレータ１５は、プレス型３０を用いてヒートプレスする際に、合成樹脂フィルム１４が凹部３２に貼着してプレス型３０を外す際に剥がれるのを防ぐために用いられる。従って、プレス型３０側に合成樹脂フィルム１４の貼着防止のためのコーティング等が施されている場合には、セパレータ１５は必須ではない。なお、工程Ｓ１４においてセパレータ１５を取り外す際には、熱接着層１３及び合成樹脂フィルム１４の温度はある程度低下しているため、合成樹脂フィルム１４がセパレータ１５と共に剥がれるおそれはない。
【００２９】
以上説明したように、本実施形態によれば、合成樹脂フィルム１４及び熱接着性フィルム１３’を予め踵部分の形状に合わせて湾曲させておくので、合成樹脂フィルム１４及び熱接着性フィルム１３’をプレス型２０の凸部２２に被せた際にも、平面状のフィルムを被せた場合に生じるような歪みや隙間が生じることはない。そのため、合成樹脂フィルム１４の全面を靴下本体１０の踵部分１０ａに、ヨレや皺や凹凸を生じさせることなく均一に接着することが可能となる。従って、靴下を着用した際に、合成樹脂フィルム１４が内側布１２を介して着用者の踵を隙間なく包み込み、踵に対する良好な保護保湿性を発揮する。また、着用者は、合成樹脂フィルム１４のヨレや皺や凹凸、或いはずれや浮きによるごわつきを感じることなく、心地よく靴下を着用することが可能となる。さらに、合成樹脂フィルム１４の全面が靴下本体１０に接着されているので、靴下１の着用と洗濯を繰り返しても合成樹脂フィルム１４にずれや浮きは生じない。従って、長期間にわたって履き心地の低下を抑制することが可能となる。
【００３０】
また、本実施形態によれば、内側布１２と合成樹脂フィルム１４との間の全面に熱接着層１３が介在しているので、靴下１の内部から油分が内側布１２に染み出しても、熱接着層１３によりブロックされ、合成樹脂フィルム１４まで到達することはない。従って、着用者が保湿クリーム等を踵に塗布した状態で靴下１を着用したとしても、保湿クリーム等の油分が合成樹脂フィルム１４に影響を与えるおそれはない。
【００３１】
なお、合成樹脂フィルム１４を接着する布地は内側布１２に限定されず、外側布１１に接着しても良い。この場合、プレス型２０の凸部２２にセパレータ１５、合成樹脂フィルム１４、及び熱接着性フィルム１３’をこの順で重ねた上に、外側布１１を被せ、加熱したプレス型３０の凹部３２を被せてプレスすれば良い。或いは、外側布１１の踵部分１０ａが凹部３２に嵌るように外側布１１をプレス型３０に被せ、熱接着性フィルム１３’、合成樹脂フィルム１４、及びセパレータ１５をこの順で重ね、加熱したプレス型２０によりプレスしても良い。
【００３２】
本発明は、以上説明した実施形態に限定されるものではなく、本発明の要旨を逸脱しない範囲内において、他の様々な形で実施することができる。
【符号の説明】
【００３３】
１  靴下
１０  靴下本体
１０ａ  踵部分
１１  外側布
１２  内側布
１３  熱接着層
１３’  熱接着性フィルム
１４  合成樹脂フィルム
１５  セパレータ
２０、３０  プレス型
２１、３１  台座
２２  凸部
３２  凹部
【図１】
2018150655.tif 000003
【図２】
2018150655.tif 000004
【図３】
2018150655.tif 000005
【図４】
2018150655.tif 000006
【図５】
2018150655.tif 000007
【図６】
2018150655.tif 000008
【図７】
2018150655.tif 000009
【図８】
2018150655.tif 000010
【図９】
2018150655.tif 000011